(57)【要約】【課題】高周波信号を極めて低歪みで増幅する。【解決手段】高周波信号Ｓ１を増幅する増幅回路２と、高周波信号Ｓ１の進行波成分を抽出すると共に増幅回路２の反射信号を抽出する方向性結合器７と、高周波信号Ｓ１から抽出した進行波成分（信号Ｓ４）と方向性結合器７によって抽出された反射信号（信号Ｓ８）とを合成して進行波成分と反射信号に含まれている高周波信号の反射波成分とを相殺すると共に反射信号に含まれている歪成分の振幅および位相を調整する第１調整回路（合成回路１０、減衰器１１および遅延回路１２）と、進行波成分（信号Ｓ４）の振幅および位相を調整する第２調整回路（減衰器８および遅延回路９）と、第１および第２調整回路の出力信号を合成する合成回路１３と、合成回路１３の出力信号を増幅する増幅回路１４，１５と、増幅回路２，１５の出力信号を合成する合成回路１６とを備えている。【選択図】図１
2007134847.tif 000002
【特許請求の範囲】
【請求項１】
信号線路を介して入力した高周波信号を増幅する第１増幅回路と、
前記高周波信号の進行波成分を前記信号線路から抽出する第１方向性結合器と、
前記第１増幅回路から前記信号線路に反射する反射信号を当該信号線路から抽出する第２方向性結合器と、
前記高周波信号から抽出した進行波成分と前記第２方向性結合器によって抽出された前記反射信号とを合成して当該進行波成分と当該反射信号に含まれている前記高周波信号の反射波成分とを相殺すると共に当該反射信号に含まれている歪み成分の振幅および位相を調整する第１調整回路と、
前記第１方向性結合器によって抽出された前記高周波信号の進行波成分の振幅および位相を調整する第２調整回路と、
前記第１調整回路の出力信号と前記第２調整回路の出力信号とを合成する第１合成回路と、
前記第１合成回路の出力信号を増幅する第２増幅回路と、
前記第１増幅回路の出力信号と前記第２増幅回路の出力信号とを合成して出力する第２合成回路とを備えている増幅装置。
【請求項２】
前記第１調整回路に入力される前記高周波信号から抽出した進行波成分の振幅および位相を調整する第３調整回路を備えている請求項１記載の増幅装置。
【請求項３】
前記第２合成回路に入力される前記第１増幅回路の出力信号を遅延させる遅延回路を備えている請求項１または２記載の増幅装置。
【請求項４】
前記第１増幅回路および前記第２増幅回路は、１つのパッケージ内に組み込まれて構成されている請求項１から３のいずれかに記載の増幅装置。
【発明の詳細な説明】
【技術分野】
【０００１】
本発明は、入力した高周波信号を増幅して出力する増幅装置に関するものである。
【背景技術】
【０００２】
この種の増幅装置として、米国特許第６５７３７９３号明細書に開示されている増幅装置が知られている。この増幅装置５１の基本構成について図２を参照して説明する。増幅装置５１は、増幅回路５２、遅延回路５３、方向性結合器５４、減衰器５５、遅延回路５６、合成回路５７、増幅回路５８、減衰／位相調整器５９、増幅回路６０および合成回路６１を備えている。この増幅装置５１では、増幅回路５２を含む経路において、増幅回路５２が信号線路６２を介して入力した高周波信号Ｓ１を増幅し、遅延回路５３が増幅回路５２から出力される信号Ｓ２を設定された遅延時間だけ遅延させて信号Ｓ３として出力する。この場合、遅延回路５３での遅延時間は、後述する歪み補正用経路での信号の遅延時間とほぼ同一に設定されている。
【０００３】
他方、増幅回路６０を含む経路（歪み補正用経路）において、方向性結合器５４が、信号線路６２を伝搬する高周波信号Ｓ１の進行波成分（基本波成分）を抽出して信号Ｓ５４として出力する。また、方向性結合器５４は、信号線路６２を高周波信号Ｓ１の進行波成分とは逆方向に伝搬する信号（以下、「反射信号」ともいう）を抽出して信号Ｓ５５として出力する。この場合、反射信号は、高周波信号Ｓ１の反射波成分（基本波成分）と、増幅回路５２の増幅動作時に増幅回路５２の入力側から信号線路６２側に出力される歪み成分（変調歪波成分）とを含んでいる。次いで、減衰器５５および遅延回路５６が信号Ｓ５４の振幅および位相（遅延時間）を調整して信号Ｓ５６として出力し、合成回路５７が信号Ｓ５５，Ｓ５６を合成して信号Ｓ５７として出力する。続いて、増幅回路５８および減衰／位相調整器５９が、信号Ｓ５７の振幅および位相を調整して信号Ｓ５８として増幅回路６０に出力する。この場合、この増幅装置５１では、減衰器５５、遅延回路５６および減衰／位相調整器５９がそれぞれ調整されて、信号Ｓ５９に含まれている高周波信号Ｓ１の基本波成分に関しては、その振幅および位相が、増幅回路５２の出力端での高周波信号Ｓ２の基本波成分（進行波成分）とほぼ同一振幅および同一位相となるように設定されている。また、信号Ｓ５８に含まれている歪み成分に関しては、その振幅および位相が、合成回路６１によって合成されたときに信号Ｓ３に含まれている歪み成分と信号Ｓ５９に含まれている歪み成分とが相殺される振幅および位相に設定されている。したがって、合成回路６１は、各信号Ｓ３，Ｓ５９を合成することにより、各信号Ｓ３，Ｓ５９に含まれている歪み成分については互いに逆位相で同一振幅のために相殺し、各信号Ｓ３，Ｓ５９に含まれている基本波成分については互いに加算する。これにより、この増幅装置５１によれば、高周波信号Ｓ１を歪みの少ない出力信号Ｓ６０に増幅することが可能となっている。
【特許文献１】米国特許第６５７３７９３号明細書（第５−８頁、第１図）
【発明の開示】
【発明が解決しようとする課題】
【０００４】
ところが、上記した従来の増幅装置５１には、以下の解決すべき課題がある。すなわち、一般的には、増幅回路５２の入力側から信号線路６２側に反射する基本波成分と歪み成分の位相関係は一定とはならない。この場合、この増幅装置５１では、遅延回路５３の遅延時間と、歪み補正用経路（増幅回路５２の入力側から増幅回路６０の入力側までの経路）の遅延時間とをほぼ同一に設定することにより、遅延回路５３によって遅延される歪み信号の遅延時間と信号Ｓ５５に含まれている歪み信号の遅延時間をほぼ等しくしている。また、減衰／位相調整器５９で歪み信号の位相を調整することが可能となっている。したがって、この増幅装置５１では、信号Ｓ３に含まれている歪み信号の遅延時間および位相と信号Ｓ５９に含まれている歪み信号の遅延時間および位相とを互いに同等として相殺することで、出力信号Ｓ６０に含まれる歪み信号を除去することが可能となっている。一方、この増幅装置５１では、増幅回路６０の入力信号として必要とされる高周波信号Ｓ１の基本波成分に関して、増幅回路５２の入力側で反射した信号Ｓ５５に含まれている基本波成分では不足する分を、方向性結合器５４で信号Ｓ５４として抽出して、両信号Ｓ５５，Ｓ５４を合成回路５７で互いに加算している。この場合、この増幅装置５１では、遅延回路５６によって信号Ｓ５４の遅延時間を調整することにより、遅延回路５３から出力される信号Ｓ３に含まれている基本波成分の位相と信号Ｓ５９に含まれている基本波成分の位相が互いに一致させようとしている。しかしながら、上記したように、増幅回路５２で反射される信号Ｓ５５に含まれている基本波成分の位相が一定ではないため、信号Ｓ５５に含まれている基本波成分の位相と、信号Ｓ５６に含まれている基本波成分の位相とは、多くの場合に互いに一致しない。このため、この増幅装置５１では、両信号Ｓ５５，Ｓ５６の位相を互いに一致させることができない結果、増幅回路５２に入力される基本波成分の位相と、増幅回路６０に入力される基本波成分の位相とが互いに一致しないこととなる。したがって、この増幅装置５１には、両増幅回路５２，６０で発生する歪み成分のレベルや位相が一致しないこととなり、これに起因して、両信号Ｓ３，Ｓ５９に含まれている歪み信号を互いに相殺できない結果、出力信号Ｓ６０に含まれる歪み成分を十分に除去することができないという問題点がある。
【０００５】
本発明は、かかる問題点に鑑みてなされたものであり、高周波信号を極めて低歪みで増幅し得る増幅装置を提供することを主目的とする。
【課題を解決するための手段】
【０００６】
上記目的を達成すべく請求項１記載の増幅装置は、信号線路を介して入力した高周波信号を増幅する第１増幅回路と、前記高周波信号の進行波成分を前記信号線路から抽出する第１方向性結合器と、前記第１増幅回路から前記信号線路に反射する反射信号を当該信号線路から抽出する第２方向性結合器と、前記高周波信号から抽出した進行波成分と前記第２方向性結合器によって抽出された前記反射信号とを合成して当該進行波成分と当該反射信号に含まれている前記高周波信号の反射波成分とを相殺すると共に当該反射信号に含まれている歪み成分の振幅および位相を調整する第１調整回路と、前記第１方向性結合器によって抽出された前記高周波信号の進行波成分の振幅および位相を調整する第２調整回路と、前記第１調整回路の出力信号と前記第２調整回路の出力信号とを合成する第１合成回路と、前記第１合成回路の出力信号を増幅する第２増幅回路と、前記第１増幅回路の出力信号と前記第２増幅回路の出力信号とを合成して出力する第２合成回路とを備えている。なお、本発明における「位相の調整」とは、遅延時間を調整して位相を調整することと、遅延時間を変えずに位相を移相させる調整の少なくとも一方を意味する。
【０００７】
また、請求項２記載の増幅装置は、請求項１記載の増幅装置において、前記第１調整回路に入力される前記高周波信号から抽出した進行波成分の振幅および位相を調整する第３調整回路を備えている。
【０００８】
また、請求項３記載の増幅装置は、請求項１または２記載の増幅装置において、前記第２合成回路に入力される前記第１増幅回路の出力信号を遅延させる遅延回路を備えている。
【０００９】
また、請求項４記載の増幅装置は、請求項１から３のいずれかに記載の増幅装置において、前記第１増幅回路および前記第２増幅回路は、１つのパッケージ内に組み込まれて構成されている。
【発明の効果】
【００１０】
請求項１記載の増幅装置によれば、高周波信号から抽出した進行波成分と第２方向性結合器によって抽出された反射信号とを合成して、進行波成分としての基本波成分と反射信号に含まれている高周波信号の基本波成分とを相殺すると共に反射信号に含まれている歪み成分の振幅および位相を第１調整回路で調整することにより、第２増幅回路の出力信号に含まれている歪み成分の位相および振幅を第１増幅回路の出力信号に含まれている歪み成分に対して逆位相でかつ同一振幅にすることができる結果、第１増幅回路の出力信号と第２増幅回路の出力信号とを合成して極めて低歪みの信号を出力することができる。
【００１１】
また、第１方向性結合器によって抽出された高周波信号の進行波成分としての基本波成分の振幅および位相を第２調整回路で調整することにより、第２増幅回路に入力される信号中の高周波信号の基本波成分の振幅および位相を、歪み成分の振幅および位相に影響を与えることなく、第１増幅回路に入力される高周波信号の基本波成分と同位相でかつほぼ同一振幅となるように確実かつ容易に設定することができる。したがって、第２増幅回路の出力信号に含まれている高周波信号の基本波成分の位相および振幅を、第１増幅回路の出力信号に含まれている高周波信号の基本波成分に対して同位相でかつほぼ同一振幅に調整することができる結果、第１増幅回路の出力信号と第２増幅回路の出力信号とを合成した信号に含まれている高周波信号の基本波成分の振幅をほぼ１．４倍（電力ではほぼ２倍）とすることができる。
【００１２】
請求項２記載の増幅装置によれば、第１調整回路に入力される進行波成分（基本波成分）の振幅および位相を第３調整回路で調整することにより、簡易な構成でありながら、第１調整回路に入力される信号に含まれている高周波信号の基本波成分と、第２方向性結合器によって抽出された反射信号信号に含まれている高周波信号の反射波成分（基本波成分）とを確実に相殺することができる。
【００１３】
請求項３記載の増幅装置によれば、第１増幅回路の出力信号を遅延回路によって遅延させることにより、第２調整回路による遅延時間の調整と相俟って、遅延回路の出力信号に含まれている高周波信号の基本波成分の位相と、第２増幅回路の出力信号に含まれている高周波信号の基本波成分の位相とを確実かつ容易に同位相に調整することができる。また、同様にして、第１調整回路による遅延時間の調整と相俟って、遅延回路の出力信号に含まれている歪み成分の位相と、第２増幅回路の出力信号に含まれている歪み成分の位相とを確実かつ容易に逆位相に調整して、両歪みを確実に相殺することができる。
【００１４】
請求項４記載の増幅装置によれば、第１増幅回路と第２増幅回路とを１つのパッケージに組み込んだことにより、第１増幅回路および第２増幅回路の電気的特性を良好に揃えることができ、しかも例えば温度・湿度などの環境の変化に対しても双方を常に同一またはほぼ同一の状態に維持することができる。
【発明を実施するための最良の形態】
【００１５】
以下、添付図面を参照して、本発明に係る増幅装置の最良の形態について説明する。
【００１６】
最初に、増幅装置１の構成について、図１を参照して説明する。増幅装置１は、いわゆるＲＦＡＬ方式増幅器（Reflect Forward Adaptive Linearizer Amplifier ）であって、増幅回路２、遅延回路３、方向性結合器４、減衰器５、遅延回路６、方向性結合器７、減衰器８、遅延回路９、合成回路１０、減衰器１１、遅延回路１２、合成回路１３、増幅回路１４、増幅回路１５および合成回路１６を備えている。この場合、増幅回路２は、本発明における第１増幅回路を構成し、信号線路１７を介して入力した高周波信号Ｓ１を増幅する。遅延回路３は、増幅回路２で増幅された信号Ｓ２を予め設定された遅延時間だけ遅延して信号Ｓ３として出力する。この場合、遅延回路３は、本発明における遅延回路を構成し、その遅延時間は、一例として、増幅回路２の入力側から合成回路１３を経由して増幅回路１５の入力側まで歪み信号が伝搬する時間とほぼ同じ時間に設定されている。
【００１７】
方向性結合器４は、信号線路１７を伝搬する高周波信号Ｓ１からその進行波成分（高周波信号Ｓ１の基本波成分）を抽出して信号Ｓ４として出力する。減衰器５および遅延回路６は、本発明における第３調整回路を構成し、信号Ｓ４の振幅および遅延時間をそれぞれ調整して信号Ｓ５として出力する。この場合、遅延回路６による「位相の調整」とは、遅延時間を変えて位相を変えることで、方向性結合器７で抽出された信号Ｓ８に含まれている高周波信号Ｓ１の基本波成分の位相と遅延回路６から出力されて合成回路１０に入力される信号Ｓ５に含まれている高周波信号Ｓ１の基本波成分の位相とを逆位相とする調整を意味する。方向性結合器７は、本発明における第１方向性結合器および第２方向性結合器を構成し、信号線路１７を伝搬する高周波信号Ｓ１の進行波成分（基本波成分）を抽出して信号Ｓ６として出力する。減衰器８および遅延回路９は、本発明における第２調整回路を構成し、信号Ｓ６の振幅および遅延時間をそれぞれ調整して信号Ｓ７として出力する。この場合、遅延回路９による「位相の調整」とは、遅延時間を変えて位相を変えることで、遅延回路３から出力される信号Ｓ３に含まれている高周波信号Ｓ１の基本波成分の位相と増幅回路１５から出力される信号Ｓ１３に含まれている高周波信号Ｓ１の基本波成分の位相とを一致させる調整を意味する。また、方向性結合器７は、信号線路１７を高周波信号Ｓ１の進行波成分とは逆方向に伝搬する信号（以下、「反射信号」ともいう）を抽出して信号Ｓ８として出力する。この場合、この反射信号は、高周波信号Ｓ１の反射波成分（基本波成分）と、増幅回路２の増幅動作時に増幅回路２の入力側から信号線路１７側に出力される歪み成分（変調歪波成分）とを含んでいる。合成回路１０は、信号Ｓ５と信号Ｓ８とを合成して信号Ｓ９として出力する。減衰器１１および遅延回路１２は、信号Ｓ９の振幅および遅延時間をそれぞれ調整して信号Ｓ１０として出力する。この場合、遅延回路１２による「位相の調整」とは、遅延時間を変えることなく、合成回路１６の出力信号Ｓ１４に含まれる歪み成分が最も低下するように位相を変える調整を意味する。また、減衰器１１および遅延回路１２は、合成回路１０と共に、本発明における第１調整回路を構成している。合成回路１３は、本発明における第１合成回路を構成し、信号Ｓ７と信号Ｓ１０とを合成して信号Ｓ１１として出力する。
【００１８】
増幅回路１４は、増幅回路１５と共に本発明における第２増幅回路を構成し、信号Ｓ１１を増幅して信号Ｓ１２として出力する。この場合、増幅回路１４は、信号Ｓ１１に含まれている高周波信号Ｓ１についての基本波成分の振幅が増幅回路２に入力される高周波信号Ｓ１の基本波成分の振幅とほぼ一致するようにその増幅率が予め設定されている。増幅回路１５は、増幅回路２と同一またはほぼ同一（以下、併せて同等ともいう）の電気的特性を有して、信号Ｓ１２を増幅して信号Ｓ１３を出力する。また、本例では、増幅回路２および増幅回路１５の電気的特性が良好に揃い、かつ例えば温度・湿度などの環境の変化に対しても双方が常に同一またはほぼ同一の状態に維持されるように、この増幅回路２および増幅回路１５は、図１に示すように、増幅回路１４と共に１つのパッケージ２１に組み込まれてワンパッケージ化されている。この場合、増幅回路１４は、増幅回路２，１５の利得に余裕があるときには、必ずしも必要とされるものではなく、その配設を省略することができ、省略するときには、増幅回路２および増幅回路１５のみを１つのパッケージ２１に組み込むこともできる。合成回路１６は、本発明における第２合成回路を構成し、信号Ｓ３と信号Ｓ１３とを合成して出力信号Ｓ１４を出力する。
【００１９】
次いで、増幅装置１の調整方法と増幅動作について説明する。
【００２０】
まず、増幅装置１の作動状態において、例えば遅延回路１２の出力（信号Ｓ１０）を観測しつつ、減衰器５および遅延回路６を調整して、合成回路１０に入力される信号Ｓ５（方向性結合器４によって抽出された高周波信号Ｓ１の進行波成分である基本波成分）の振幅および遅延時間を調整することにより、信号Ｓ８に含まれている高周波信号Ｓ１の反射波成分（基本波成分）を信号Ｓ５で相殺して、信号Ｓ１０に含まれている高周波信号Ｓ１の進行波成分（基本波成分）の振幅をほぼゼロにする（歪み成分抽出ステップ）。これにより、信号Ｓ１０は、方向性結合器７によって抽出された反射信号に含まれている歪み成分のみで構成される。
【００２１】
次いで、合成回路１６の出力（出力信号Ｓ１４）を観測しつつ、減衰器８および遅延回路９を調整して、出力信号Ｓ１４に含まれている高周波信号Ｓ１の基本波成分の振幅を増幅回路２から出力される基本波成分のほぼ１．４倍（電力ではほぼ２倍）に調整する（振幅調整ステップ）。この場合、信号Ｓ６は、高周波信号Ｓ１の基本波成分のみで構成されているため、減衰器８および遅延回路９を調整することにより、信号Ｓ１２に含まれている高周波信号Ｓ１の基本波成分の振幅および位相を、信号Ｓ１２に含まれている歪み成分とは別個独立して、任意の量に設定することができる。具体的には、減衰器８および遅延回路９を調整することにより、信号Ｓ１２中の高周波信号Ｓ１の基本波成分の振幅および位相を、増幅回路２に入力される高周波信号Ｓ１の基本波成分と同位相でかつほぼ同一振幅に設定する。この結果、増幅回路１５は、信号Ｓ１２を増幅することにより、遅延回路３から出力される信号Ｓ３に含まれている歪み成分に対して逆位相でかつほぼ同一振幅の歪み成分と、遅延回路３から出力される信号Ｓ３に含まれている高周波信号Ｓ１の基本波成分に対して同位相でかつほぼ同一振幅の基本波成分とを信号Ｓ１３として出力する。したがって、合成回路１６が、信号Ｓ３と信号Ｓ１３とを合成することにより、高周波信号Ｓ１の基本波成分についてはほぼ１．４倍の振幅の出力信号Ｓ１４を出力する。
【００２２】
続いて、合成回路１６の出力（出力信号Ｓ１４）を観測しつつ、減衰器１１および遅延回路１２を調整して、出力信号Ｓ１４の歪みが最小となるように調整する（歪みキャンセルステップ）。この場合、上記した歪み成分抽出ステップにおいて、信号Ｓ１０が方向性結合器７によって抽出された反射信号に含まれている歪み成分のみで構成されているため、減衰器１１および遅延回路１２を調整することにより、合成回路１３の出力（信号Ｓ１１）、つまり増幅回路１４の出力（信号Ｓ１２）に含まれている歪み成分の振幅および位相を、信号Ｓ１２に含まれている高周波信号Ｓ１の基本波成分とは別個独立して、任意の量に設定することができる。これにより、増幅回路２と同等の電気的特性を有する増幅回路１５は、信号Ｓ１２を増幅することにより、遅延回路３から出力される信号Ｓ３に含まれている歪み成分に対して逆位相でかつほぼ同一振幅の歪み成分と、所定の振幅の高周波信号Ｓ１の基本波成分とを含む信号Ｓ１３を出力する。したがって、合成回路１６が、信号Ｓ３と信号Ｓ１３とを合成することにより、各信号Ｓ３，Ｓ１３に含まれている歪み成分同士が相殺されて、歪み成分を殆ど含まず、しかも高周波信号Ｓ１の基本波成分についてはほぼ１．４倍の振幅の出力信号Ｓ１４を出力する。
【００２３】
このように、この増幅装置１によれば、高周波信号Ｓ１から抽出した進行波成分（基本波成分）で構成される信号Ｓ５と方向性結合器７によって抽出された信号Ｓ８とを合成回路１０で合成して、信号Ｓ８に含まれている高周波信号Ｓ１の反射波成分（基本波成分）を信号Ｓ５で相殺すると共に、合成回路１０から出力される信号Ｓ９の振幅および遅延時間（位相）を減衰器１１および遅延回路１２で調整することにより、増幅回路１５から出力される信号Ｓ１３に含まれている歪み成分の位相および振幅を、遅延回路３から出力される信号Ｓ３に含まれている歪み成分に対して逆位相でかつほぼ同一振幅にすることができる結果、信号Ｓ３，Ｓ１３を合成して極めて低歪みの出力信号Ｓ１４を出力することができる。また、減衰器８および遅延回路９の調整と、減衰器１１および遅延回路１２の調整とを別個独立して行うことができるため、出力信号Ｓ１４に含まれる歪み成分の除去と基本波成分の振幅調整とを極めて容易に行うことができる。
【００２４】
また、方向性結合器７によって抽出された高周波信号Ｓ１の進行波成分としての基本波成分の振幅および位相を減衰器８および遅延回路９で調整することにより、増幅回路１５に入力される信号Ｓ１２中の高周波信号Ｓ１の基本波成分の振幅および位相を、歪み成分の振幅および位相に影響を与えることなく、増幅回路２に入力される高周波信号Ｓ１の基本波成分と同位相でかつほぼ同一振幅となるように確実かつ容易に設定することができる。したがって、増幅回路１５から出力される信号Ｓ１３に含まれている高周波信号Ｓ１の基本波成分の位相および振幅を、遅延回路３から出力される信号Ｓ３に含まれている高周波信号Ｓ１の基本波成分に対して同位相でかつほぼ同一振幅に調整することができる結果、信号Ｓ３，Ｓ１３を合成した出力信号Ｓ１４に含まれている高周波信号Ｓ１の基本波成分の振幅をほぼ１．４倍とすることができる。
【００２５】
また、この増幅装置１によれば、方向性結合器４で抽出した高周波信号Ｓ１の振幅および遅延時間を減衰器５および遅延回路６で調整して合成回路１０に信号Ｓ５として入力するようにしたことにより、簡易な構成でありながら、信号Ｓ５に含まれている高周波信号Ｓ１の基本波成分と、信号Ｓ８に含まれている高周波信号Ｓ１の反射波成分（基本波成分）とを確実に相殺することができる。
【００２６】
また、この増幅装置１によれば、遅延回路３によって信号Ｓ２を遅延させることにより、遅延回路９による遅延時間の調整と相俟って、遅延回路３から出力される信号Ｓ３に含まれている高周波信号Ｓ１の基本波成分の位相と、増幅回路１５から出力される信号Ｓ１３に含まれている高周波信号Ｓ１の基本波成分の位相とを確実かつ容易に同位相に調整することができる。また、同様にして、遅延回路１２による遅延時間の調整と相俟って、遅延回路３から出力される信号Ｓ３に含まれている歪み成分の位相と、増幅回路１５から出力される信号Ｓ１３に含まれている歪み成分の位相とを確実かつ容易に逆位相に調整して、両歪みを確実に相殺することができる。
【００２７】
さらに、増幅回路２と増幅回路１５とを１つのパッケージに組み込んだことにより、増幅回路２および増幅回路１５の電気的特性を良好に揃えることができ、しかも例えば温度・湿度などの環境の変化に対しても双方を常に同一またはほぼ同一の状態に維持することができる。
【００２８】
なお、本発明は、上記の構成に限定されない。例えば、信号Ｓ６と信号Ｓ８とを１つの方向性結合器７で信号線路１７から抽出する構成に代えて、別個独立した２つの方向性結合器を本発明における第１方向性結合器および第２方向性結合器として信号Ｓ６，Ｓ８をそれぞれ抽出する構成を採用することもできる。また、減衰器５および遅延回路６の配設順序を逆にすることもできる。同様にして、減衰器８および遅延回路９の配設順序を逆にすることもできるし、合成回路１０、減衰器１１および遅延回路１２の順序を自由に入れ替えることもできる。また、遅延回路３において、予め設定された時間だけ信号Ｓ２を遅延させる構成を採用した例について説明したが、遅延時間を調整し得る構成を採用しても良いのは勿論である。
【図面の簡単な説明】
【００２９】
【図１】増幅装置１の構成図である。
【図２】増幅装置５１の構成図である。
【符号の説明】
【００３０】
１  増幅装置
２，１４，１５  増幅回路
３，６，９，１２  遅延回路
４，７  方向性結合器
５，８，１１  減衰器
１０，１３，１６  合成回路
１７  信号線路
２１  パッケージ
Ｓ１  高周波信号
Ｓ２〜Ｓ１３  信号
Ｓ１４  出力信号
【図１】
2007134847.tif 000003
【図２】
2007134847.tif 000004